(57)【要約】【課題】Ｔ型ジョイントとシャフトとの嵌合後にこれらの間に位置ずれが生じる可能性を減らすことによって不良製品の発生率を低減し、かつＴ型ジョイントとシャフトとの接着力を強化する。【解決手段】楕円形に形成したフレーム１の中空両端部にＴ型ジョイント４の水平両肩部５を挿入し、Ｔ型ジョイントの垂直軸部６に中空シャフト２の上端部を挿入することによりフレームとシャフトとを接着剤を介して結合してなるバドミントンラケットにおいて、Ｔ型ジョイントの該垂直軸部の外側面に複数本のリブ９を軸方向に形成してなる。【選択図】　　　図２
2004065862.tif 000002
【特許請求の範囲】
【請求項１】
楕円形に形成したフレームの中空両端部にＴ型ジョイントの水平両肩部を挿入し、該Ｔ型ジョイントの垂直軸部に中空シャフトの上端部を挿入することによりフレームとシャフトとを接着剤を介して結合してなるバドミントンラケットにおいて、該Ｔ型ジョイントの該垂直軸部の外側面に複数本のリブを軸方向に形成してなることを特徴とするバドミントンラケット。
【請求項２】
前記リブを前記垂直軸部の軸方向に２〜８本形成してなることを特徴とする請求項１に記載のバドミントンラケット。
【請求項３】
前記各リブの幅及び高さが該垂直軸部の上方から下方にかけて徐々に小さくなるように形成されてなることを特徴とする請求項１または２に記載のバドミントンラケット。
【請求項４】
前記Ｔ型ジョイントの水平両肩部の上面に長手方向のリブを形成してなることを特徴とする請求項１乃至３の何れか１項に記載のバドミントンラケット。
【請求項５】
前記長手方向のリブを複数本形成してなることを特徴とする請求項４載のバドミントンラケット。
【請求項６】
前記リブの高さが０．１〜１．０ｍｍであることを特徴とする請求項１乃至５の何れか１項に記載のバドミントンラケット。
【請求項７】
前記Ｔ型ジョイントの前記垂直軸部の上端部における前記肩部との境界部がテーパー面として形成され、前記中空シャフトの上端開口部が略同一のテーパー面に座ぐり形成されてなることを特徴とする請求項１乃至６の何れか１項に記載のバドミントンラケット。
【請求項８】
前記境界部の前記テーパー面が曲率半径０．５〜５．０ｍｍの範囲内に形成されてなることを特徴とする請求項７記載のバドミントンラケット。
【発明の詳細な説明】
【０００１】
【発明の属する技術分野】
本発明は、楕円形に形成したフレームの中空両端部にＴ型ジョイントの水平両肩部を挿入し、該Ｔ型ジョイントの垂直軸部に中空シャフトの上端部を挿入することによりフレームとシャフトとを接着剤を介して結合してなるバドミントンラケットに関するものである。
【０００２】
【従来の技術】
従来この種のバドミントンラケットとしては実公平２−１９１６３号に係るものが公知となっている。この公知のバドミントンラケットを製造するには、先ずＴ型ジョイントに液状のエポキシ樹脂等の接着剤を付着させ、次いで、このＴ型ジョイントの垂直軸部を中空シャフトの上端開口部に挿入するとともに金型内においてＴ型ジョイントの水平両肩部を楕円形に形成したフレームの中空両端部に挿入し、その後、シャフトとフレームのジョイント部の外周にＦＲＰ樹脂テープを巻き付けて補強し、金型を閉じて加熱成形していた。
【０００３】
【発明が解決しようとする課題】
しかしながら、Ｔ型ジョイントをシャフトの上端開口部に挿入する作業を容易にするため、および接着剤がＴ型ジョイントとシャフト間に充分ゆきわたるように、従来のジョイントの垂直軸部の外径（直径）はそれぞれ中空シャフトの内径（直径）より０．２ｍｍ〜０．３ｍｍ程度小さく形成されている。このため、Ｔ型ジョイントとシャフトとの嵌合は比較的緩く、一旦、Ｔ型ジョイントの垂直軸部をシャフトの上端開口部に挿入した後に、これを金型内に設置する際に僅かな引張方向の外力がかかってもシャフトがＴ型ジョイントから引き抜ける方向に若干（例えば数ｍｍ）位置ずれすることが発生した。このような位置ずれが生じたままバドミントンラケットを製造すると、その使用中にＴ型ジョイントの垂直軸部の上端でシャフトの上端から抜け出た部分に応力が集中し、当該部分のジョイントが破断することが生じていた。
【０００４】
また、Ｔ型ジョイントにエポキシ樹脂のような粘度の高い接着剤を付着させてこれをシャフトの上端開口部に挿入する際に、Ｔ型ジョイントの例えば垂直軸部をシャフトの開口部に正確に同心上に挿入することはほとんど不可能で、通常は偏心した状態で挿入されるから、Ｔ型ジョイントの外周に付着された接着剤が偏心側のシャフトの端部によって掻き取られて薄くなり、接着力が低下することがあり、このためシャフトのフレームに対するねじり抵抗が弱くなるといった問題があった。
【０００５】
本発明は上記のような問題点に鑑みてなされたもので、その目的はＴ型ジョイントとシャフトとの嵌合後にこれらの間に位置ずれが生じる可能性を減らすことによって不良製品の発生率を低減し、かつＴ型ジョイントとシャフトとの接着力を強化してなるバドミントンラケットを提供することにある。
【０００６】
【課題を解決するための手段】
上記の目的を達成するため、本発明では、楕円形に形成したフレームの中空両端部にＴ型ジョイントの水平両肩部を挿入し、該Ｔ型ジョイントの垂直軸部に中空シャフトの上端部を挿入することによりフレームとシャフトとを接着剤を介して結合してなるバドミントンラケットにおいて、該Ｔ型ジョイントの該垂直軸部の外側面に複数本のリブを軸方向に形成してなるのである。
【０００７】
上記のリブの存在により、Ｔ型ジョイントをシャフトの上端部に挿入する際にリブの上端がシャフトの中空開口部の内面に密着するようにリブの寸法を規定すれば、Ｔ型ジョイントを一旦シャフトの中空開口部の所定の位置まで挿入後は、僅かな外力ではシャフトはジョイントから引き抜く方向に位置ずれしないから、製造後にジョイントとシャフトととの位置ずれによる不良品の発生を極力低減することができる。
【０００８】
また、上記のリブが複数本存在することにより、ジョイントの垂直軸部がシャフトの上端開口部に対して正しく同心上に挿入されるから、ジョイントに付着した接着剤が部分的にシャフトの上端開口部によって掻き取られることがなく、ジョイントの垂直軸部の外周にほぼ均等に接着剤が付着した状態となるから、従来のように接着効果が低減されることがない。
【０００９】
また、リブの存在により、従来のリブがない場合に比べて、Ｔ型ジョイントのシャフトに対する接着面積は増大するから、両者の接着強度は従来の場合よりも大きくなる。
【００１０】
好ましくは、前記リブを前記垂直軸部の軸方向に２〜８本形成することで、これにより前記のＴ型ジョイントとシャフトとの位置ずれの可能性がさらに低減しまた垂直軸部の接着面積が大きくなり更なる接着効果を上げることができる。
【００１１】
また好ましくは、前記各リブの幅及び高さが該垂直軸部の上方から下方にかけて徐々に小さくなるように形成することで、これによりＴ型ジョイントの垂直軸部をシャフトの上端から挿入する作業が容易となる。
【００１２】
また好ましくは、前記Ｔ型ジョイントの水平両肩部の上面に長手方向のリブを形成することである。さらに好ましくは、前記長手方向のリブを複数本形成してなることである。これによって、上記の場合と同様な理由により、Ｔ型ジョイントの水平両肩部とフレームの中空な両端部との間の接着面積が増え、両者の接着強度を増大させることができる。
【００１３】
また好ましくは、前記リブの高さを０．１〜１．０ｍｍとすることである。リブの高さをある程度大きくしてＴ型ジョイントをシャフトの上端部に挿入するときに、そのリブがシャフトの中空開口部の内面に一部食い込むようにすると、上記接着効果に加えてこの食い込みによりＴ型ジョイントとシャフトとの接合強度が大幅に向上する。
【００１４】
また好ましくは、前記Ｔ型ジョイントの前記垂直軸部の上端部における前記肩部との境界部をテーパー面として形成し、前記中空シャフトの上端開口部を略同一のテーパー面に座ぐり形成することである。そして、好ましくは、前記境界部の前記テーパー面が曲率半径０．５〜５．０ｍｍの範囲内に形成されることである。
【００１５】
これにより、Ｔ型ジョイント自体が強化されると共にシャフトの上端開口部とＴ型ジョイントが密着し両者の結合強度が一段と向上される。
【００１６】
【発明の実施の形態】
以下に本発明の好適な実施例について、添付の図面を参照にして説明する。
図１は本発明に係るバドミントンラケット枠の正面図で、バドミントンラケット枠は外観上はフレーム部１とシャフト部２とグリップ部３とからなっている。
フレーム部１とシャフト部２は図２及び図３に示したように、これらに内蔵されたＴ型ジョイント４によって結合されている。
フレーム部１及びシャフト部２はカーボン繊維を主体としたＦＲＰ製の中空管状体でＴ型ジョイント４はアルミニウム合金のような金属製である。
【００１７】
Ｔ型ジョイント４は略水平な両肩部５−５とこれらの肩部の中央から下方に延出した垂直軸部６とからなり、各水平肩部５の断面形状はフレーム部１の断面形状と同じ小判型で、垂直軸部の断面形状はシャフト部２の断面形状と同じ円形となっている。
【００１８】
水平な肩部５−５の平坦な上面中央部には１本のリブ（小突起）７が長手方向全長に亘って形成され、このリブは両端側に向けて徐々に高さ低くして、後述するフレーム両端開口部への挿入を容易にすることが好ましい。また両肩部の端部はフレームの中空な両端部への挿入を容易にするためにテーパー付の小径端部８−８となっている。
【００１９】
垂直軸部６の外周側面には４本のリブ（小突起）９が等間隔で軸方向に沿って形成され、垂直軸部６の下端はテーパー付の小径端部１０となっている。上記の肩部のリブ７及び垂直軸部６の各リブ９の高さは０．１〜１．０ｍｍに形成されている。この寸法はシャフト部２の内径との関係で決まるものであるが、何れの場合にもＴ型ジョイントの垂直軸部６を中空シャフト２の上端からシャフト内に挿入したときに、上記４つのリブ９によって垂直軸部６が中空シャフト内に密着嵌合することが必要である。従って、中空シャフトの内径が一定の場合、リブの高さを増すとＴ型ジョイントの垂直軸部の径が小さくなり、リブの高さが１．０ｍｍを越えるとＴ型ジョイントの垂直軸部の径が小さくなりすぎて必要な強度を保てなくなるので、リブの高さは１．０ｍｍが限度である。逆にリブの高さが０．１ｍｍ未満では後述するリブを設けた効果を奏することができなくなる。
【００２０】
Ｔ型ジョイントの垂直軸部における各リブ９の幅と高さは垂直軸部６の上方から下方にかけて徐々に小さくすることが好ましい。これにより、Ｔ型ジョイントの垂直軸部６をシャフト２の上端開口部に挿入する作業が容易となる。
【００２１】
また、上記のＴ型ジョイント４の水平肩部５と垂直軸部の境界部１１はテーパー面として形成されている。これに対応して、垂直軸部６が挿入される中空シャフト２の上端開口部の内周面１２は境界部１１のテーパー面と同じテーパー面となるように座ぐり形成されている。これにより、Ｔ型ジョイント４の垂直軸部６が中空シャフト２の上端開口部から挿入されたときに、境界部１１のテーパー面と中空シャフトの上端座ぐり部１２のテーパー面とが密着するようになっている。また、上記の境界部１１のテーパー面によって、Ｔ型ジョイント４自体の強度も増している。
【００２２】
上記Ｔ型ジョイント４の境界部１１のテーパー面の曲率半径は０．５〜５．０ｍｍの範囲内とすることで、この曲率半径よりも大きくなるとこの曲率半径に合致させるために形成したシャフトの先端の座ぐり部が大きくなり、シャフトの先端の強度が低下しすぎる。また、曲率半径を０．５ｍｍ未満にすると、シャフトの先端部とＴ型ジョイント４の境界部１１との密着による強度向上が期待できなくなる。
【００２３】
次に、上記のＴ型ジョイントを用いてバドミントンラケットを形成する工程について述べると、図３に示したように予め形成したアルミニウム合金製Ｔ型ジョイントを接着剤として準備した溶融したエポキシ樹脂中に浸して、Ｔ型ジョイントの外面にエポキシ樹脂を付着させる。次いで、このジョイント４の垂直軸部６をＦＲＰ製の中空シャフトの上端開口部から、ジョイントの境界部１１がシャフトの上端座ぐり部１２に当接するまで挿入する。
【００２４】
この時、垂直軸部６の外表面に形成された４本のリブ９が中空シャフト２の内周面に密着した状態で圧入されるように寸法設定されている。これにより、ジョイント４がシャフト２から僅かな外力によって位置ずれするようなことがないようになる。
【００２５】
次いで、予め楕円中空状に成形したカーボン繊維からなるＦＲＰ製のフレーム１の両端開口部内にＴ型ジョイント４の両水平肩部５，５を挿入する。この時、肩部の上面中央部に形成したリブ７がフレームの開口部内壁面に密着するので、ジョイント４とフレームとの係合が確実になりまた接着剤の偏りを防いで、所望の接着強度を確実に得ることができる。次いで、Ｔ型ジョイント部の外周にあたるフレーム１とシャフト２の連結部に帯状のＦＲＰプリプレグを巻き付け、この状態でＴ型ジョイント部を金型内に挿入し、金型を閉じて加熱成形する。
【００２６】
このようにして製造されたバドミントンラケットでは、図２に示すように、フレーム１とシャフトとはＴ型ジョイント６を介して強固に連結されまたその連結部はＦＲＰ樹脂層１３によって被覆されている。
【００２７】
本発明は上記の実施態様に限定されるものではなく、垂直軸部に形成されるリブ９の本数は複数本であればよく、好ましくは８本以下とすることである。また、水平肩部のリブ７も１本である必要はなく、複数本設けてもよい。
【００２８】
【発明の効果】
以上のように本発明のバドミントンラケットでは、Ｔ型ジョイント４の垂直軸部６の外側面に複数本のリブ９を軸方向に形成し、この垂直部を中空シャフト２の上端部に挿入するようにしたので、Ｔ型ジョイントをシャフトの上端部に挿入する際にリブの上端がシャフトの中空開口部の内面に密着するようにリブの寸法を規定すれば、Ｔ型ジョイントを一旦シャフトの中空開口部の所定の位置まで挿入後は、僅かな外力ではシャフトはジョイントから引き抜く方向に位置ずれしないから、製造後にジョイントとシャフトととの位置ずれによる不良品の発生を極力低減することができる。
【００２９】
また、上記のリブが複数本存在することにより、ジョイントの垂直軸部がシャフトの上端開口部に対して正しく同心上に挿入されるから、ジョイントに付着した接着剤が部分的にシャフトの上端開口部によって掻き取られることがなく、ジョイントの垂直軸部の外周にほぼ均等に接着剤が付着した状態となるから、従来のように接着効果が低減されることがない。
【００３０】
更にまた、リブの存在により、従来のリブがない場合に比べて、Ｔ型ジョイントのシャフトに対する接着面積は増大するから、両者の接着強度は従来の場合よりも大きくなる。
【図面の簡単な説明】
【図１】本発明を適用したバドミントンラケットの正面図。
【図２】本発明の要部であるバドミントンラケットのフレーム部とシャフト部の結合部分を示す要部断面図。
【図３】本発明に適用するＴ型ジョイントの正面図。
【図４】図３に示したＴ型ジョイントの底面図
【符号の説明】
１　　フレーム部
２　　シャフト部
４　　Ｔ型ジョイント
５　　肩部
６　　垂直軸部
７　　長手方向のリブ
９　　軸方向のリブ
１１　境界部
１２　座ぐり部
【図１】
2004065862.tif 000003
【図２】
2004065862.tif 000004
【図３】
2004065862.tif 000005
【図４】
2004065862.tif 000006